(57)【特許請求の範囲】
【請求項１】
光源と、
前記光源からの光を用いた表示パネルと、
前記光源と前記表示パネルとを包含する枠状筐体と、
を備える表示装置であって、
前記枠状筐体は、前記表示パネルに対応する開口部を備え、
前記枠状筐体の前記開口部に対応し、前記表示パネル上に配置された透明シートと、
前記透明シートを覆いかつ、少なくとも前記枠状筐体に粘着材層を介して固着される透明保護板とをさらに備え、
前記透明シートは、前記粘着材層より熱伝導率が低い、
表示装置。
【請求項２】
前記透明シートは、前記透明保護板より熱伝導率が低い、
請求項１に記載の表示装置。
【請求項３】
前記透明保護板は、前記透明シートにも前記粘着材層を介して固着される、
請求項１または２に記載の表示装置。
【請求項４】
前記透明保護板は、前記枠状筐体のみに前記粘着材層を介して固着される、
請求項１または２に記載の表示装置。
【請求項５】
前記粘着材層は、分割された複数の部分よりなる、
請求項４に記載の表示装置。
【請求項６】
前記透明シートは、その厚さ方向に圧縮して配置される、
請求項１〜５のいずれかに記載の表示装置。
【請求項７】
前記透明シートと前記透明保護板との間に低反射膜をさらに備える、
請求項１〜６のいずれかに記載の表示装置。
【請求項８】
前記透明シートと前記表示パネルとの間に低反射膜をさらに備える、
請求項１〜７のいずれかに記載の表示装置。
【発明の詳細な説明】
【技術分野】
【０００１】
本発明は表示装置に関し、特に透明保護板を具備し、透明保護板と表示パネルの間に透明シートを配置することを特徴とする表示装置に関する。
【背景技術】
【０００２】
図６に示される従来の表示装置の一例としての液晶表示装置は、透明保護板１と液晶表示装置２の液晶表示パネル６とを空気層を介さずに貼りあわせるために、透明保護板１と屈折率が近く、同一材料からなる透明な粘着材層４、５が液晶表示装置２の液晶表示パネル６と透明保護板１との間に２層設けられている。透明保護板１側の粘着材層４と液晶表示装置２側の粘着材層５とは外形が異なり、粘着材層４は液晶表示装置２の枠状筐体７（図の枠状筐体７の上部７ｂ）を覆うように透明保護板１側に設けられ、粘着材層５は液晶表示装置２の枠状筐体７の開口部７ａ内に納まるように設けられている。なお、液晶表示装置２は、その内部に光源８を有している。
【０００３】
正面から見た場合には、図７に示すように手前に配置された透明保護板１の裏面に、粘着材層４、５が配置され、粘着材層５は、枠状筐体７の開口部７ａに対応して配置されている。
【０００４】
特許文献１における図２には、液晶表示パネルと同じ大きさで、非粘着性であり、かつ透明保護板と液晶表示パネルとの密着性を有するシリコーン系シートを、透明保護板と液晶表示パネルとの間に配置した液晶表示装置が示されている。
【０００５】
また特許文献２においては、透明保護板と液晶表示パネルとの密着性を有する透明シートの製造方法、その透明シートを用いた液晶表示装置がそれぞれ示されている。
【先行技術文献】
【特許文献】
【０００６】
【特許文献１】特開２００２−２８７１１９号公報
【特許文献２】特開２００４−１０１６３６号公報
【発明の概要】
【発明が解決しようとする課題】
【０００７】
上記の粘着材層を用いる場合においては、粘着材層のコストが高く、また液晶表示パネル全面に粘着材層が配置されるためリワーク性が悪いという問題があった。
【０００８】
また、液晶表示装置の放熱性が悪くなり、熱の影響により液晶表示パネルの表示品位が悪くなるという問題があった。
【０００９】
本発明は上記のような問題点を解消するためになされたものであって、熱の影響による表示品位の悪化を抑制できる表示装置を提供することを目的とする。
【課題を解決するための手段】
【００１０】
この発明にかかる表示装置は、光源と、前記光源からの光を用いた表示パネルと、前記光源と前記表示パネルとを包含する枠状筐体とを備える表示装置であって、前記枠状筐体は、前記表示パネルに対応する開口部を備え、前記枠状筐体の前記開口部に対応し、前記表示パネル上に配置された透明シートと、前記透明シートを覆いかつ、少なくとも前記枠状筐体に粘着材層を介して固着される透明保護板とをさらに備え、前記透明シートは、前記粘着材層より熱伝導率が低い。
【発明の効果】
【００１１】
この発明によれば、光源と、前記光源からの光を用いた表示パネルと、前記光源と前記表示パネルとを包含する枠状筐体とを備える表示装置であって、前記枠状筐体は、前記表示パネルに対応する開口部を備え、前記枠状筐体の前記開口部に対応し、前記表示パネル上に配置された透明シートと、前記透明シートを覆いかつ、少なくとも前記枠状筐体に粘着材層を介して固着される透明保護板とをさらに備え、前記透明シートは、前記粘着材層より熱伝導率が低いことにより、光源から表示パネルへの枠状筐体を介した熱の流入を抑制し、効率よく放熱することが可能となる。
【図面の簡単な説明】
【００１２】
【図１】本実施の形態１における表示装置の断面図である。
【図２】本実施の形態１における表示装置の正面図である。
【図３】本実施の形態２における表示装置の断面図である。
【図４】本実施の形態２における表示装置の正面図である。
【図５】本実施の形態３における表示装置の正面図である。
【図６】従来の表示装置の断面図である。
【図７】従来の表示装置の正面図である。
【発明を実施するための形態】
【００１３】
以下に、本発明の適用可能な実施の形態が説明される。以下の説明は、本発明の実施形態を説明するためのものであり、本発明が以下の実施形態に限定されるものではない。また説明の明確化のため、以下の記載は適宜省略及び簡略化がなされている。また、当業者であれば以下の実施形態の各要素を本発明の範囲において容易に変更、追加、変換することが可能である。
【００１４】
＜Ａ．実施の形態１＞
＜Ａ−１．構成＞
図１、図２は、それぞれ本実施の形態１における透明保護板を具備する表示装置としての液晶表示装置の断面図と正面図である。
【００１５】
図１に示されるように本実施の形態１における表示装置としての液晶表示装置２は、表示パネルとしての液晶表示パネル６と、光源８とを備える。液晶表示パネル６と光源８とは枠状筐体７に内包され、枠状筐体７の上部７ｂにおいて、液晶表示パネル６に対応する位置には開口部７ａが設けられている。開口部７ａに収まる大きさの透明シート３が液晶表示パネル６上に配置され、さらに透明シート３の上部３ａにおいて透明シート３を覆い、透明保護板１が粘着材層４を介して配置されている。固定のため少なくとも液晶表示装置２の枠状筐体７（図１では枠状筐体７の上部７ｂ）と透明保護板１とは、粘着材層４を介して固着されている。
【００１６】
図１に示す構成では、透明保護板１は、透明シート３にも粘着材層４を介して固着されている。
【００１７】
正面から見た場合には、図２に示すように手前に配置された透明保護板１の裏面に、粘着材層４、透明シート３が配置され、透明シート３は、枠状筐体７の開口部７ａに対応して配置されている。
【００１８】
＜Ａ−２．動作＞
透明シート３は所定の屈折率であり、また低反射膜（図示せず）をさらに備えるものを用いる。透明シート３の所定の屈折率は粘着材層４と屈折率が等しいものが望ましく、これにより粘着材槽４と透明シート３との界面、および液晶表示パネル６と透明シート３との界面での外光の反射を抑制し、輝度やコントラストの表示品位を向上させることができる。
【００１９】
また、透明シート３の屈折率は、透明保護板１の屈折率と等しいものであってもよく、これにより透明保護板１と透明シート３との界面での外光の反射を抑制し、輝度やコントラストの表示品位をさらに向上させることができる。
【００２０】
また、前述の低反射膜は透明シート３の少なくとも透明保護板１側の表面（透明シート３と透明保護板１との間）に設けられ、反射率２％以下の低反射膜であることが望ましい。反射率２％以下であると外光の反射が軽減されるため、輝度やコントラストの表示品位を向上させることができる。このような低反射膜が付加された透明シート３を用いることにより、視認性の優れた液晶表示装置２を提供することができる。
【００２１】
なお、上記透明シート３は液晶表示パネル６側（透明シート３と液晶表示パネル６との間）にもさらに低反射膜を備えると透明シート３内を透過した外光の反射が軽減されるため、さらに視認性が向上する。
【００２２】
透明シート３の熱伝導率を粘着材層４の熱伝導率よりも小さくすることで、枠状筐体７から粘着材層４を介して液晶表示パネル６全面へ通じる熱経路に対する熱抵抗を大きくでき、液晶表示装置２の光源８から発生する熱の液晶表示パネル６への流入を防ぎ透明保護板１側に効率よく放熱できるため、液晶表示パネル６の白抜けなどの表示不具合の発生を防止することが可能となり、表示品位を向上させることができる。
【００２３】
また、透明シート３の熱伝導率を透明保護板１の熱伝導率よりも小さくすることで、液晶表示パネル６への熱の流入を防ぎ、効率よく放熱することが可能となる。
【００２４】
また、液晶表示装置２の光源８から発生する熱を透明保護板１側に効率よく放熱させるために、粘着材層４の熱伝導率は１．０Ｗ／（ｍ・Ｋ）以上であることが望ましい。
【００２５】
また透明シート３は、液晶表示パネル６上に枠状筐体７の開口部７ａ内に収まる大きさおよび枠状筐体７と同じ厚みを持つものを用いる。枠上筐体７の開口部７ａに透明シート３を配置し、枠上筐体７の上部７ｂ、透明シート３の上面３ａに粘着剤層４を配置し、透明保護板１を貼りつける。これにより、枠状筐体７の開口部７ａに配置する粘着材層５を削減するとともに貼り合わせ工程を簡素化することができる。
【００２６】
また透明シート３は、枠状筐体７の開口部７ａ内に収まる大きさおよび枠状筐体７より厚いものを用いて、その厚さ方向に圧縮して配置してもよい。そのような場合には、透明シート３と粘着材層４との間、および透明シート３と液晶表示パネル６との間に空気層が生じることを抑制できるため、表示品位を保つことができる。
【００２７】
さらには、貼り合わせ部分等への異物進入による表示不具合などで透明保護板１と液晶表示装置２を分離する場合、枠状筐体７と接触している粘着材層４のみを剥離するか、あるいは枠状筐体７を液晶表示装置２から取り外すだけでよい。よって、リワーク作業性を向上させることができる。さらに、液晶表示パネル６に外力を与えずにリワーク作業が可能となるため、リワークによる歩留を向上させることができる。
【００２８】
＜Ａ−３．効果＞
この発明にかかる実施の形態１によれば、表示装置において、光源８と、光源８からの光を用いた表示パネルである液晶表示パネル６と、光源８と液晶表示パネル６とを包含する枠状筐体７とを備える表示装置であって、枠状筐体７は、液晶表示パネル６に対応する開口部７ａを備え、枠状筐体７の開口部７ａに対応し、液晶表示パネル６上に配置された透明シート３と、透明シート３を覆いかつ、少なくとも枠状筐体７に粘着材層４を介して固着される透明保護板１とをさらに備え、透明シート３は、粘着材層４より熱伝導率が低いことで、光源８から液晶表示パネル６への枠状筐体７を介した熱の流入を抑制し、効率よく放熱することが可能となる。
【００２９】
また、この発明にかかる実施の形態１によれば、表示装置において、透明シート３は、透明保護板１より熱伝導率が低いことで、液晶表示パネル６への熱の流入を防ぎ、効率よく放熱することが可能となる。
【００３０】
また、この発明にかかる実施の形態１によれば、表示装置において、透明保護板１は、透明シート３にも粘着材層４を介して固着されることで、透明保護板１と液晶表示装置２とを分離する場合、枠状筐体７と接触している粘着材層４のみを剥離するか、あるいは枠状筐体７を液晶表示装置２から取り外すだけでよく、リワーク作業性が向上する。
【００３１】
また、この発明にかかる実施の形態１によれば、表示装置において、透明シート３と透明保護板１との間に低反射膜をさらに備えることで、粘着材層４と透明シート３との界面での外光の反射を抑制し、輝度やコントラストの表示品位を向上させることができる。
【００３２】
また、この発明にかかる実施の形態１によれば、表示装置において、透明シート３と表示パネルである液晶表示パネル６との間に低反射膜をさらに備えることで、透明保護板１と透明シート３との界面での外光の反射を抑制し、輝度やコントラストの表示品位をさらに向上させることができる。
【００３３】
また、この発明にかかる実施の形態１によれば、表示装置において、透明シート３は、粘着材層４と屈折率が等しいことで、粘着材層４と透明シート３との界面での外光の反射を抑制し、輝度やコントラストの表示品位を向上させることができる。
【００３４】
また、この発明にかかる実施の形態１によれば、表示装置において、透明シート３は、透明保護板１と屈折率が等しいことで、透明保護板１と透明シート３との界面での外光の反射を抑制し、輝度やコントラストの表示品位をさらに向上させることができる。
【００３５】
＜Ｂ．実施の形態２＞
＜Ｂ−１．構成＞
図３、図４は、それぞれ本実施の形態２における表示装置としての液晶表示装置の断面図と正面図である。
【００３６】
実施の形態１と同じ番号を付した構成要素は前述したものと同様であるため、ここでは詳細な説明を省略する。図３に示されるように、液晶表示装置２において、液晶表示パネル６上に枠状筐体７の開口部７ａ内に収まる大きさで、枠状筐体７の厚みと粘着材層４Ｂの厚みを合わせた厚み以上の厚みを持つ透明シート３０を、透明シート３０の上部３０ａにおいて実施の形態１での粘着材層４を介さずに、透明保護板１と液晶表示装置２の間においてその厚さ方向に圧縮して配置する。すなわち、図４に示すように実施の形態２における粘着材層４Ｂは、液晶表示パネル６上の領域、枠状筐体７の開口部７ａ上の領域には配置されず、その領域を避けるように枠状筐体７の上部７ｂに配置される。
【００３７】
正面から見た場合には、図４に示すように手前に配置された透明保護板１の裏面に、粘着材層４Ｂ、透明シート３０が配置され、透明シート３０は、枠状筐体７の開口部７ａに対応して配置されている。
【００３８】
＜Ｂ−２．動作＞
透明シート３０をその上部３０ａにおいて粘着材層４を介すことなく配置できるため、透明保護板１と液晶表示パネル６との間の界面を減らすことが可能となる。この場合、透明シート３０は、透明保護板１と屈折率が等しいものが望ましく、これにより透明保護板１と透明シート３０との界面、および、液晶表示パネル６と透明シート３０との界面での外光の反射を抑制し、輝度やコントラストの表示品位を向上させることができる。
【００３９】
また、透明シート３０が粘着材層４Ｂより熱伝導率が低い場合には、枠状筐体７を介して光源８から伝わる熱は、粘着材層４Ｂを枠状筐体７の上部７ｂにのみ配置することでより液晶表示パネル６に熱が伝わりにくくなる。
【００４０】
枠上筐体７の開口部７ａに透明シート３０を配置し、枠上筐体７の上部７ｂに粘着剤層４Ｂを配置し、透明保護板１を貼りつける。実施の形態１と比較して、枠状筐体７の開口部７ａに配置する粘着材層４を削減するとともに、貼り合わせ工程を簡素化することができる。
【００４１】
又、透明シート３０をその厚さ方向に圧縮して配置することにより、透明シート３０と透明保護板１との間、および透明シート３０と液晶表示パネル６との間に空気層が生じることを抑制し、表示品位を保つことが可能となる。
【００４２】
＜Ｂ−３．効果＞
この発明にかかる実施の形態２によれば、表示装置において、透明保護板１は、枠状筐体７のみに粘着材層４Ｂを介して固着されることにより、透明シート３０が粘着材層４Ｂより熱伝導率が低い場合には、枠状筐体７を介して光源８から伝わる熱が伝わりにくくなる。
【００４３】
また、この発明にかかる実施の形態２によれば、表示装置において、透明シート３０は、その厚さ方向に圧縮して配置されることで、透明シート３０と透明保護板１との間、および透明シート３０と液晶表示パネル６との間に空気層が生じることを抑制し、表示品位を保つことが可能となる。
【００４４】
＜Ｃ．実施の形態３＞
＜Ｃ−１．構成＞
図５は、本実施の形態３における表示装置としての液晶表示装置の正面図である。
【００４５】
実施の形態２と同じ番号を付した構成要素は前述したものと同様であるため、ここでは詳細な説明を省略する。
【００４６】
図５に示されるように、正面から見た場合には、手前に配置された透明保護板１の裏面に粘着材層４Ａ、透明シート３０が配置され、透明シート３０は枠状筐体７の開口部７ａに対応して配置されている。また液晶表示装置２において、枠状筐体７と透明保護板１を貼り付けるための粘着材層４Ａを分割粘着材層４１〜４４の４個に分割させる。分割しない場合には透明シート３０上に当たる領域の粘着材層を廃棄していたが、例えば分割粘着材層４１〜４４のように分割することでその領域を廃棄する必要がないため材料費を削減することができる。粘着材層４Ａは２個以上に分割することで、上記の効果を得ることができる。また、粘着材層４Ａは図５に示すように液晶表示パネル６上には配置されていないため、粘着材層４Ａを２個以上に分割してもその継ぎ目が表示品位に影響を与えることはない。
【００４７】
さらに、粘着材層４Ａを分割粘着材層４１〜４４に分割することで、枠状筐体７の上部７ｂに個々に貼り付けることが可能となるため、粘着材層４Ａの貼り付けが容易になり、貼り付け作業ミスを削減することができる。
【００４８】
＜Ｃ−２．効果＞
この発明にかかる実施の形態３によれば、表示装置において、粘着材層４Ａは、分割された複数の部分よりなることで、枠状筐体７の上部７ｂに個々に貼り付けることが可能となるため、粘着材層４Ａの貼り付けが容易になり、貼り付け作業ミスを削減することができる。
【符号の説明】
【００４９】
１  透明保護板、２  液晶表示装置、３，３０  透明シート、３ａ，３０ａ，７ｂ  上部、４，４Ａ，４Ｂ，５  粘着材層、６  液晶表示パネル、７  枠状筐体、７ａ  開口部、８  光源、４１〜４４  分割粘着材層。
【図１】
0005448601.tif 000002
【図２】
0005448601.tif 000003
【図３】
0005448601.tif 000004
【図４】
0005448601.tif 000005
【図５】
0005448601.tif 000006
【図６】
0005448601.tif 000007
【図７】
0005448601.tif 000008